(57)【要約】【課題】  従来の摺動式閉塞型のプレス金型で、立ち上がり部を備えた面戸付き熨斗瓦を成形する場合、抜き勾配及び面戸部の仰角と立ち上がり部の垂直性を確保するには、左・右を個別に成形する一枚取りの金型に依存する。立ち上がり部の基材との取り付け側面同志を貼り付け一体化し成形した場合、分割後の取り付け平坦面の形成は経済的に成り立たない。よって、左・右を連接し一工程で成形する製造方法は普及していない。【構成】  本発明は、衝止開放式のプレス金型を利用して、左・右の立ち上がり部を備えた面戸付き熨斗瓦を、立ち上がり部の上端面で連接一体化した断面視山高帽形状の構成とし、面戸部下端の形状を桟瓦の曲面に整合するに便利な裏面の段付き部・割溝等を高精度で確保する。立ち上がり部の取り付け平坦面・安定台・割溝等を金型内で成型する。脱型後の形態が安定する等の効果がある。【選択図】  図１
2006175664.tif 000002
【特許請求の範囲】
【請求項１】
下型に面戸付き熨斗瓦等の瓦の面戸部を形成する面戸平坦面と、この瓦の熨斗部を形成する熨斗彎曲面と、またこの瓦の立ち上がり部を形成する天井中凹面を形成し、また上型に前記面戸部を形成する面戸凹面と、この瓦の熨斗部を形成する熨斗膨出面と、またこの瓦の立ち上がり部を形成する天井面を形成し、
この面戸平坦面及び面戸凹面と、熨斗彎曲面及び熨斗膨出面と、天井中凹面及び天井面とにより、前記瓦成形用のキャビティを構成する上下型から成る成形型を用いて、
前記上下型の合体時に、この面戸部と立ち上がり部を、平面形状で成形することで、形状の正確性と安定性を確保し、また前記熨斗部を垂直形状で成形することで、前記瓦の葺上げ時の熨斗勾配角度の自由度を確保することを特徴とした左右の面戸付き熨斗瓦等の瓦の製造方法。
【請求項２】
請求項１の面戸部外周の複雑な形状と、面戸部内側面の凹凸形状とを形成する構成としたことを特徴とする左右の面戸付き熨斗瓦等の瓦の製造方法。
【請求項３】
請求項１の立ち上がり部の基材との取り付け側面に、少なくとも１か所の安定用の突条又は凹面を設ける構成としたことを特徴とする左右の面戸付き熨斗瓦等の瓦の製造方法。
【発明の詳細な説明】
【技術分野】
【０００１】
本発明は、左右の面戸付き熨斗瓦等の瓦の製造方法に関する。
【背景技術】
【０００２】
通常、上型下型でキャビティを構成する粘土瓦成型用金型構造では、上向き或いは下向きの抜き勾配の設定が必要である。この立ち上がり部を備えた左右の面戸付き熨斗瓦等の成形に際し、立ち上がり部は、基材への釘止めの便を考慮すると、例えば、図１４−１に示すように取り付け面ａ−ａは水平面Ｌ−Ｌに対し垂直としたい。また面戸部は、表面ｂ−ｂをＬ−Ｌに対し仰角とし、雨水を軒側遠方に誘導するのが望ましい。
【０００３】
因みに、図１４−２の如く、抜き勾配をつけ取り付け面ａ’−ａ’を仰角にすると、面戸部表面ｂ’−ｂ’は必然的に俯角となり、脱型に際し立ち上がり部上端角Ｃ’に上型が引っ掛かる。また面戸部表面ｂ’−ｂ’が俯角になると下型が引っ掛かり脱型を難しくする課題が残る。
【０００４】
この対策として考えられるのが、図１５で示す成型方法であり、この成形方法は、例えば、特開２００３−３０１５６４の「面戸瓦、熨斗瓦、及び棟部の瓦組構造」で開示されている面戸付き熨斗瓦の一枚取り成形に応用されている（文献（１）とする）。
【０００５】
然るに、この例では、立ち上がり部、熨斗部、面戸部の全ての面が傾斜した構成となり、金型の構造が複雑で維持管理も煩雑になる。また各面の繋ぎ目（角）が堰となり、粘土の流動を妨げ成形密度の不均衡を招くこと、主要な角部、山或いは谷に閉じこめられる空気溜まり対策も難しいこと等が要因となり、重要部分の形状及び／又は精度の確保が困難となり技術的に難渋している。さらに前述の抜き勾配に係る問題から一枚取り成形に限定されること、脱型後の形態が不安定で専用治具を多数必要とすることも障害の一つであって普及を阻んでいること等の解決すべき課題がある。
【０００６】
前述の例とは異なる事例で、左右の面戸付き熨斗瓦を、面戸側端部で連接一体化し同時成形する方法として、例えば、図１６及び図１７の例が考えられる。この場合、実効ある立ち上がり部を形成するには、上型の中央最深部に、立ち上がり部が基材に安定して固定できる有効な高さと幅を有する断面長方形の溝を、きき幅全長に亘り高い精度を以って穿設する必要がある。この措置は、金型の設計製作に相当な困難が伴い、維持管理にも難渋すること、またプレス成型時に発生する空気溜まりが妨げとなり、要求される形状及び／又は精度の確保が困難視されること等の幾多の課題が残ることが知られている。またこの左右一体化した面戸付き熨斗瓦は、施工に先立って、立ち立ち上がり部を中央の割り線で正確に分割し、基材との当接面を平滑に補整する必要があり、相当な技術力と時間を要し実用性は乏しいと考えられる。この例で示した面戸付き熨斗瓦は、特開２００４−１８３２３４の「棟、隅棟用面戸付き台のし瓦」、又は特願２００３−３１４１５４の「面戸付き登り水切り熨斗瓦」として開示されている（文献（２）、（３）とする）。
【０００７】
【特許文献１】特開２００３−３０１５６４
【特許文献２】特開２００４−１８３２３４
【特許文献３】特願２００３−３１４１５４
【発明の開示】
【発明が解決しようとする課題】
【０００８】
文献１の発明では、立ち上がり部を備えた左右の面戸付き台のし瓦、熨斗瓦等（のし瓦とする）を開示している。上、下型から成る摺動式閉塞型による成形方式を採用する場合、立ち上がり部の垂直形状と面戸部の仰角を確保し、抜き勾配を考慮すると、左右別個に一枚宛成形せざるを得ない。そして脱型後の姿勢安定には専用治具が不可欠で、焼成台なくして形状及び／又は精度の確保が難しい。また、隅棟、降り棟等の傾斜棟用では、左右専用の金型が必要となり経済的に成り立ち難い課題も考えられる。
【０００９】
また文献２、３の発明では、左右を熨斗部で連接一体化して成型する製造方法が開示されている。この閉塞型により成形する場合、プレス圧は金型側面（横方向）には殆ど作用せず、面戸部裏面の段付き部、割り溝、端側縁部の形成が難しいこと、キャビティ内に閉じこめられた空気が妨げとなり末端細部への粘土流入を阻み、必要な隅、縁の形状及び／又は精度の確保等が確保されないことが課題となる。さらに基材への固着を確実とする立ち上がり部の延設が難しい課題も解決すべき点である。
【課題を解決するための手段】
【００１０】
請求項１の発明は、衝止開放式金型を用い、施工時に面戸部の仰角と立ち上がり部の垂直性を確保すること、立ち上がり部及び面戸部に対しプレス圧を効果的に作用させ、形状の正確性と安定性を確保すること、また立ち上がり部の取り付け面（成型時の天井面）の安定台と、面戸部の内面の凹凸形状及び外周形状の成形精度を確保すること、また熨斗部の彎曲面、熨斗部と面戸部との繋ぎラインの直線性を確保すること等を意図する。また本発明は、面戸部外面は左右同一レベルの平坦面に成形され、脱型後、乾燥焼成台に安定した姿勢で載置でき捩れ曲がり等を回避し、形状及び／又は精度が確保され品質の向上等を図りつつ、前述の特徴を発揮できる面戸付き熨斗瓦等の瓦の製造方法を提供することを意図する。
【００１１】
請求項１は、下型に面戸付き熨斗瓦等の瓦の面戸部を形成する面戸平坦面と、この瓦の熨斗部を形成する熨斗彎曲面と、またこの瓦の立ち上がり部を形成する天井中凹面を形成し、また上型に前記面戸部を形成する面戸凹面と、この瓦の熨斗部を形成する熨斗膨出面と、またこの瓦の立ち上がり部を形成する天井面を形成し、
この面戸平坦面及び面戸凹面と、熨斗彎曲面及び熨斗膨出面と、天井中凹面及び天井面とにより、前記瓦成形用のキャビティを構成する上下型から成る成形型を用いて、
前記上下型の合体時に、この面戸部と立ち上がり部を、平面形状で成形することで、形状の正確性と安定性を確保し、また前記熨斗部を垂直形状で成形することで、前記瓦の葺上げ時の熨斗勾配角度の自由度を確保することを特徴とした左右の面戸付き熨斗瓦等の瓦の製造方法である。
【００１２】
請求項２の発明は、請求項１の目的を達成すること、またこの目的を達成するのに最適な金型を提供すること等を意図する。
【００１３】
請求項２は、請求項１の面戸部外周の複雑な形状と、面戸部内側面の凹凸形状とを形成する構成としたことを特徴とする左右の面戸付き熨斗瓦等の瓦の製造方法である。
【００１４】
請求項３の発明は、請求項１の目的を達成すること、またこの目的を達成するのに最適な金型を提供すること等を意図する。
【００１５】
請求項３は、請求項１の立ち上がり部の基材との取り付け側面に、少なくとも１か所の安定用の突条又は凹面を設ける構成としたことを特徴とする左右の面戸付き熨斗瓦等の瓦の製造方法である。
【発明の効果】
【００１６】
請求項１の発明は、下型に面戸付き熨斗瓦等の瓦の面戸部を形成する面戸平坦面と、瓦の熨斗部を形成する熨斗彎曲面と、また瓦の立ち上がり部を形成する天井中凹面を形成し、また上型に面戸部を形成する面戸凹面と、瓦の熨斗部を形成する熨斗膨出面と、また瓦の立ち上がり部を形成する天井面を形成し、
面戸平坦面及び面戸凹面と、熨斗彎曲面及び熨斗膨出面と、天井中凹面及び天井面とにより、瓦成形用のキャビティを構成摺る上下型から成る成形型を用いて、
上下型の合体時に、面戸部と立ち上がり部を、平面形状で成形することで、形状の正確性と安定性を確保し、また熨斗部を垂直形状で成形することで、瓦の葺上げ時の熨斗勾配角度の自由度を確保することを特徴とした左右の面戸付き熨斗瓦等の瓦の製造方法である。
【００１７】
従って、請求項１は、衝止開放式金型を用い、施工時に面戸部の仰角と立ち上がり部の垂直性を確保できること、立ち上がり部及び面戸部に対しプレス圧を効果的に作用させ、形状の正確性と安定性を確保できること、また立ち上がり部の取り付け面（成型時の天井面）の安定台と、面戸部の内面の凹凸形状及び外周形状の成形精度を確保できること、また熨斗部の彎曲面、熨斗部と面戸部との繋ぎラインの直線性を確保できること等の利点がある。また本発明は、面戸部外面は左右同一レベルの平坦面に成形され、脱型後、乾燥焼成台に安定した姿勢で載置でき捩れ曲がり等を回避し、形状及び／又は精度が確保され品質の向上等を図りつつ、前述の特徴を発揮できる面戸付き熨斗瓦等の瓦の製造方法を提供できること等の実益がある。
【００１８】
請求項２の発明は、請求項１の面戸部外周の複雑な形状と、面戸部内側面の凹凸形状とを形成する構成としたことを特徴とする左右の面戸付き熨斗瓦等の瓦の製造方法である。
【００１９】
従って、請求項２は、請求項１の目的を達成できること、またこの目的を達成するのに最適な金型を提供できること等の特徴がある。
【００２０】
請求項３の発明は、請求項１の立ち上がり部の基材との取り付け側面に、少なくとも１か所の安定用の突条又は凹面を設ける構成としたことを特徴とする左右の面戸付き熨斗瓦等の瓦の製造方法である。
【００２１】
従って、請求項３は、請求項１の目的を達成できること、またこの目的を達成するのに最適な金型を提供できること等の特徴がある。
【発明を実施するための最良の形態】
【００２２】
以下、本発明の実施の態様（形態）を説明する。
【００２３】
図面の説明をすると、図１〜図１３は本発明の金型・熨斗瓦及び／又は成型方法に関するものであり、図１は第一の実施例の金型を示した一部欠截の断面図、図２は図１の下型の衝止面板と上型の当接面との関係を説明する拡大断面図、図３は第一の実施例の隅棟用の面戸付き熨斗瓦を示した斜視図、図４は第二の実施例の金型を示した模式図、図５は第二の実施例の棟用・壁際用の面戸付き熨斗瓦を示した斜視図、図６は第三の実施例の金型を示した模式図、図７は第三の実施例の登り水切り用の面戸付き熨斗瓦の一部を示した斜視図、図８は第四の実施例の金型の要部を示した模式図、図９は第四の実施例の熨斗瓦（多段熨斗瓦）の一部を示した斜視図、図１０は第一の実施例の面戸付き熨斗瓦で葺き設した隅棟を示した断面模式図、図１１は第三の実施例の登り水切り用の面戸付き熨斗瓦で葺き設した降り棟を示した断面模式図、図１２は第三の実施例の登り水切り熨斗瓦で葺き設した壁との取り合いを示した断面模式図、図１３は第二の実施例の熨斗瓦で葺き設した壁際の取り合いを示した断面模式図、図１４−１は立ち上がり部を備えた面戸付き熨斗瓦の立ち上がり部の垂直性と面戸部の仰角との関係を示す模式図、図１４−２は立ち上がり部を備えた面戸付き熨斗瓦用の金型において抜き勾配を考慮すると面戸部の仰角が確保できず成形不能の状態を示す模式図、図１５は抜き勾配を考慮した立ち上がり部を備えた面戸付き熨斗瓦の一枚取り成形方法を示した金型模式図、図１６は抜き勾配を考慮した立ち上がり部を備えた面戸付き熨斗瓦の左右一体化成形方法を示した金型模式図、図１７は左右一体化した（二分割式）立ち上がり部を備えた面戸付き熨斗瓦の模式図、図１８は第三の実施例の登り水切り用の面戸付き熨斗瓦を半截した瓦の斜視図、図１９は第一の実施例の隅棟用の面戸付き熨斗瓦を半截した瓦の斜視図、図２０は第四の実施例の多段熨斗瓦を半截した瓦の一部を示した斜視図、図２１は第二の実施例の棟用・壁際用の面戸付き熨斗瓦を半截した瓦の斜視図である。
【００２４】
図１〜図３に示した第一の実施例を説明すると、この図１に示した金型は、下型Ａに立ち上がり部４を備えた面戸付き熨斗瓦１（瓦１とする）の「左」・「右」面戸部２、２（以下、対の各構成の場合には、原則として、一方側の説明と名称等とする）を形成する面戸平坦面Ａ１と、この瓦１の熨斗部３を形成する熨斗彎曲面Ａ２と、瓦１の立ち上がり部４を形成する天井中凹面Ａ３を形成し、また上型Ｂに面戸部２を形成する面戸凹面Ｂ１と、瓦１の熨斗部３を形成する熨斗膨出面Ｂ２と、瓦１の立ち上がり部４を形成する天井面Ｂ３を形成する。そして、上下型Ａ、Ｂが合体した状態で、この面戸平坦面Ａ１及び面戸凹面Ｂ１と、熨斗彎曲面Ａ２及び熨斗膨出面Ｂ２と、天井中凹面Ａ３及び天井面Ｂ３とにより、瓦１成型用のキャビティＣが構成される。この上下型Ａ、Ｂが合体することにより、面戸部２が略水平形状に成形され、熨斗部３が内方張り出し彎曲形状に成形され、立ち上がり部４が逆へ形の中折れ平面形状に成形される。
【００２５】
図中、Ａ４は下型Ａの面戸平坦面Ａ１の延長面で面戸部２の末端２ｃの外方の上面Ａ６にビス等で固定した衝止面板を示し、面戸部末端２ｃの欠損防止に有効な削ぎ面の形成に役立ち、摩耗時の交換が容易で金型保全に便利な構成になっている。Ｂ４は上型Ｂの外方底面Ｂ６の内方延長面であって、下型Ａにビス等で固定された前記衝止面板Ａ４に衝止当接する構成の当接面を示す。また５−１は上型Ｂの当接面Ｂ４と下型Ａの上面Ａ６との間に、衝止面板Ａ４の板厚分で形成される逃がし部を示す。そして、６は緊締具７で下型Ａの両側端にボルト等で固定され、上型Ｂの誘導を司り、前記逃がし部５−１に連通する排気孔５００を所要位置に複数穿設したサックを示す。またＢ５は上型Ｂの両側下方端面にビス等で固着した面板を示し、前記サック６との摺動の円滑化を図る。そして、下型Ａは上型Ｂに対して収斂した形状を呈し抜き勾配を確保し、サック６、６に対して上型Ｂがスム−スに合体できる構成とする。
【００２６】
また、この例は、主として隅棟用の瓦１を、上下型Ａ，Ｂによる衝止開放式の合わせ金型を利用した、可塑性を有する粘土素材をプレス成形する製造方法である。因みに、この瓦１は、隅棟を挟んで「左」、「右」に葺き設する立ち上がり部を備えた面戸付き熨斗瓦（図示せず、以下、面戸熨斗瓦とする）を立ち上がり部で連接した一体形状で（施工時に「左」「右」に分割する）成形する。即ち、図３で示した瓦１は、「左」「右」の面戸熨斗瓦（２枚）を立ち上がり部側面（基材との取り付け面）を対峙させるように配置し、一方の面戸熨斗瓦の立ち上がり部上端面に、他方の面戸熨斗瓦の立ち上がり部上端面が対面するように、他方の面戸熨斗瓦を上方に１８０度回転し、それぞれの面戸部の外側面（一体化後の底面）を同一面に揃えて、双方の立ち上がり部上端面同志を連接し一体化した断面視山高帽形状を呈する構成とする。
【００２７】
このプレス成形では、面戸部２及び立ち上がり部４は、略垂直方向に作用するプレス圧を均等に受けることになり、面戸部２の表面２ｂの平坦面及び裏面２ａの段付き部２００、割り線２０１が形成され、同時に、立ち上がり部４の裏面４ａの平坦面（基材との取り付け面）及び分割線９、安定台４００、釘孔８の成形が全て金型内で完結し、高精度で安定した成形が簡便に実現する。またこのプレス工程では、下型Ａの衝止面板Ａ４に上型Ｂの当接面Ｂ４が当接する直前において、瓦１の面戸部２の末端２ｃ（外縁端部）に押し込まれた空気は、衝止面板Ａ４と当接面Ｂ４との間に残された狭い隙間５を介して逃がし部５−１に排出（プレス圧で押し出される）された後、例えば、サック６に連通した排気孔５００を経て外部へ放出される。これらの過程で、末端２ｃで逃げ場を探す余剰粘土は、排出空気に誘導され、隙間５を介して逃がし部５−１にはみ出しバリを形成する。このバリは、脱型後剥落する程度の鱗片状の残滓であって、面戸部２の末端２ｃの形状・精度を確保するのに有用である。
【００２８】
図４、図５に示した第二の実施例を説明すると、この図５に示した主として棟用、壁際用の瓦１は、瓦１の一方側１−１にきき幅調整用の重ね合わせオーバーラップ１０を、他方側１−２に雨仕舞い用の差し込みアンダーラップ１１を設けた構造であり、その他は、前述の第一の実施例に準ずる構造である。
【００２９】
図６、図７に示した第三の実施例を説明すると、この図７に示した主として登り水切り用の瓦１は、瓦１の一方側（図示せず）にオーバーラップ（図示せず）を、他方側１−２にアンダーラップ１１を設けた構造であり、その他の構造は、前述の第一の実施例に準ずる。
【００３０】
図８、図９に示した第四の実施例を説明すると、この図９に示した多段熨斗瓦として利用する瓦１は、第二の実施例で示した主として棟用の瓦１と、冠瓦（図示せず）との間に葺き設する複数の熨斗瓦（図示せず）を一体化した簡略形の瓦１であり、この瓦１の一方側（図示せず）にオーバーラップ（図示せず）を、他方側１−２にアンダーラップ１１を設けた構造である。そして図８に示す瓦１を成形する金型は、下型Ａの衝止面板Ａ４及び上型Ｂの当接面Ｂ４の内方に、瓦１の見付け部３−１（熨斗部の外側端面）を設けた構成であり、垂直方向のプレス圧を効果的に受ける構成で見付け部３−１の形状、精度が確保される。
【００３１】
次に本発明を利用した瓦１を葺き設した例を、図１０から図１３及び図１８から図２１にて示す。図１０は、第一の実施例の瓦１（隅棟用の面戸付き熨斗瓦）を半截した図１９で示す半截した瓦１００を隅棟に施工した例を示す。先ず半截した瓦１００の面戸部２の下端部を、裏面２ａの段付き部２００と割り線２０１を利用し桟瓦２０の谷曲面（図示せず）に整合するように形状を調整する。ついで、この半截した瓦１００を桟瓦２０上に載置し、立ち上がり部４を、安定台４００を介し釘孔８に挿入した釘Ｆにて棟芯に立設された基材Ｅに固定し、熨斗瓦Ｇ、及び冠瓦Ｉ等で葺き設される隅棟構造の基盤を構成する。この場合、熨斗瓦Ｇの代替用として第四の実施例の瓦１（多段熨斗瓦）を半截した図２０で示す半截した瓦１００−１を利用した隅棟の施工も可能である。図１１は、第三の実施例の瓦１（登り水切り用の面戸付き熨斗瓦）を半截した図１８で示す半截した瓦１００−２、及び第四の実施例の瓦１（多段熨斗瓦）を半截した図２０で示す半截した瓦１００−１を降り棟に施工した例を示す。尚、この半截した瓦１００−２は、面戸部２の下端部形状を桟瓦２０の桟山の重なり段部（図示せず）に整合するように調整して使用する構成としている。その他は、前述の図１０の例に準ずる。またこの例では、半截した瓦１００−１を熨斗瓦Ｇに置き換え、降り棟を施工（図示せず）することも可能である。図１２は、第三の実施例の瓦１（登り水切り用面戸付き熨斗瓦）を半截した図１８で示す半截した瓦１００−２を利用して施工した壁との取り合いを示す。その他は、前述の図１０の例に準ずる。図１３は、第二の実施例の瓦１（棟用・壁際用面戸付き熨斗瓦）を半截した図２１で示す半截した瓦１００−３を利用して施工した壁際の取り合いを示す。その他は、前述の図１０の例に準ずる。
【図面の簡単な説明】
【００３２】
【図１】図１は第一の実施例の金型を示す一部欠截の断面図
【図２】図２は図１の下型の衝止面板と上型の当接面との関係を説明する拡大断面図
【図３】図３は第一の実施例の隅棟用の面戸付き熨斗瓦を示す斜視図
【図４】図４は第二の実施例の金型を示す模式図
【図５】図５は第二の実施例の棟用・壁際用の面戸付き熨斗瓦を示す斜視図
【図６】図６は第三の実施例の金型を示す模式図
【図７】図７は第三の実施例の登り水切り用の面戸付き熨斗瓦の一部を示す斜視図
【図８】図８は第四の実施例の金型の要部を示す模式図
【図９】図９は第四の実施例の熨斗瓦（多段熨斗瓦）の一部を示す斜視図
【図１０】図１０は第一の実施例の面戸付き熨斗瓦で葺き設した隅棟を示す断面模式図
【図１１】図１１は第三の実施例の登り水切り用の面戸付き熨斗瓦で葺き設した降り棟を示す断面模式図
【図１２】図１２は第三の実施例の登り水切り熨斗瓦で葺き設した壁との取り合いを示す断面模式図
【図１３】図１３は第二の実施例の熨斗瓦で葺き設した壁際の取り合いを示す断面模式図
【図１４−１】図１４−１は立ち上がり部を備えた面戸付き熨斗瓦の立ち上がり部の垂直性と面戸部の仰角との関係を示す模式図
【図１４−２】図１４−２は立ち上がり部を備えた面戸付き熨斗瓦用の金型において抜き勾配を考慮すると面戸部の仰角が確保できず成形不能の状態を示す模式図
【図１５】図１５は抜き勾配を考慮した立ち上がり部を備えた面戸付き熨斗瓦の一枚取り成形方法を示す金型模式図
【図１６】図１６は抜き勾配を考慮した立ち上がり部を備えた面戸付き熨斗瓦の左右一体化成形方法を示す金型模式図
【図１７】図１７は左右一体化した（二分割式）立ち上がり部を備えた面戸付き熨斗瓦の模式図
【図１８】図１８は第三の実施例の登り水切り用の面戸付き熨斗瓦を半截した瓦の斜視図
【図１９】図１９は第一の実施例の隅棟用の面戸付き熨斗瓦を半截した瓦の斜視図
【図２０】図２０は第四の実施例の多段熨斗瓦を半截した瓦の一部を示す斜視図
【図２１】図２１は第二の実施例の棟用・壁際用の面戸付き熨斗瓦を半截した瓦の斜視図
【符号の説明】
【００３３】
１              瓦
１００          半截した瓦（隅棟用の面戸付き熨斗瓦）
１００−１      半截した瓦（多段熨斗瓦）
１００−２      半截した瓦（登り水切り用の面戸付き熨斗瓦）
１００−３      半截した瓦（棟・壁際用の面戸付き熨斗瓦）
１−１          一方側
１−２          他方側
２              面戸部
２ａ            裏面
２ｂ            表面
２ｃ            末端
２００          段付き部
２０１          割り線
３              熨斗部
３−１          見付け部
４              立ち上がり部
４００          安定台
４ａ            裏面
４ｂ            表面
５              隙間
５００          排気孔
５−１          逃がし部
６              サック
７              緊締具
８              釘孔
９              分割線
１０            オーバーラップ
１１            アンダーラップ
２０            桟瓦
Ａ              下型
Ａ１            面戸平坦面
Ａ２            熨斗彎曲面
Ａ３            天井中凹面
Ａ４            衝止面板
Ａ６            上面
Ｂ              上型
Ｂ１            面戸凹面
Ｂ２            熨斗膨出面
Ｂ３            天井面
Ｂ４            当接面
Ｂ５            面板
Ｂ６            外方底面
Ｃ              キャビティ
Ｃ’            上端角
Ｅ              基材
Ｆ              釘
Ｆ１            釘
Ｇ              熨斗瓦
Ｉ              冠瓦
Ｊ              屋根地
Ｋ              壁
イ              上型
ロ              下型
ハ              面戸部
ニ              面板
ホ              立ち上がり部
へ              割り線
ト              熨斗部
チ              サック
Ｌ−Ｌ          水平面
Ｔ−Ｔ          垂線
ａ−ａ          立ち上がり部取り付け面
ａ’−ａ’      立ち上がり部取り付け面
ｂ−ｂ          面戸部表面
ｂ’−ｂ’      面戸部表面
【図１】
2006175664.tif 000003
【図２】
2006175664.tif 000004
【図３】
2006175664.tif 000005
【図４】
2006175664.tif 000006
【図５】
2006175664.tif 000007
【図６】
2006175664.tif 000008
【図７】
2006175664.tif 000009
【図８】
2006175664.tif 000010
【図９】
2006175664.tif 000011
【図１０】
2006175664.tif 000012
【図１１】
2006175664.tif 000013
【図１２】
2006175664.tif 000014
【図１３】
2006175664.tif 000015
【図１４−１】
2006175664.tif 000016
【図１４−２】
2006175664.tif 000017
【図１５】
2006175664.tif 000018
【図１６】
2006175664.tif 000019
【図１７】
2006175664.tif 000020
【図１８】
2006175664.tif 000021
【図１９】
2006175664.tif 000022
【図２０】
2006175664.tif 000023
【図２１】
2006175664.tif 000024